(57)【要約】【課題】電波はまず地面（または床）や天井の方向に進み、足下を抜けて地面（または床）からの反射や天井による反射によって重なった点呼対象に妨げられることなく、受信機に到達する出来る点呼用ＩＣタグ。【解決手段】点呼用ＩＣタグは、個別識別信号を含む信号電波を無線通信により受信機に向けて発信することにより、携行者の存在を通知するものである。ケース５の重心を下部に設定すると共に、そのケース５に内蔵した発信用のアンテナ４をケース５の底壁内に設け、さらにケース５の下面が下方を向くように携行するストラップ８を設けた。【選択図】図２
0003125097.tif 000002
【実用新案登録請求の範囲】
【請求項１】
個別識別信号を含む信号電波を無線通信により受信機に向けて発信することにより、携行者の存在を通知する点呼用ＩＣタグであって、ケース（５）の重心を下部に設定すると共に、そのケース（５）に内蔵した発信用のアンテナ（４）をケース（５）の底壁の内側に設け、さらにケース（５）の下面が下方を向くように携行するストラップ（８）を設けたことを特徴とする点呼用ＩＣタグ。
【考案の詳細な説明】
【技術分野】
【０００１】
本考案は、複数の被引率者を引率する引率者が被引率者の点呼を行い、引率者の存在を確認するために、被引率者が携行し、点呼のための信号として個別識別情報を含む信号電波を発信する点呼用ＩＣタグに関する。
【背景技術】
【０００２】
点呼対象の人が当該発信機を所持する方法は、ひも等により首にさげるのが簡単で一般的である。従来品では、発信機を首からさげると、内部の基板上に配置されたループ状発信用アンテナが、着用者の身体に近く、しかも地面と垂直になるため、電波が多く吸収されていた。
このような電波放射状況であると、点呼対象（人）の数が多く、受信機から見て重なりが有る場合には点呼対象（人）による電波の吸収も加わるため、点呼されなかったり、過大な時間を要すると言った問題があった。
【特許文献１】特開平８−１８５５８８号公報
【特許文献２】特開平９−１４７１６４号公報
【特許文献３】特開２００２−１８３７８７号公報
【考案の開示】
【考案が解決しようとする課題】
【０００３】
本考案は、前記従来の課題に鑑み、地面や室内にあっては天井や床からの反射波を利用することにより、点呼対象による電波の吸収に妨げられずに点呼を可能とすることを目的とする。
【課題を解決するための手段】
【０００４】
本考案では、前記の目的を達成するため、ＩＣタグのケース５に内蔵したアンテナ４をケース５の底壁内に設けた構造とし、被引率者が個別識別信号を含む信号電波を発信する電波のうち、地面、床、天井からの反射波を受信機１１で受信するようにしたものである。これにより、縦方向に伝播する個別識別信号を含む信号電波の送受信を可能とし、人や障害物の吸収による受信の障害を少なくするようにしたものである。
【０００５】
すなわち、本考案による点呼用ＩＣタグは、個別識別信号を含む信号電波を無線通信により受信機に向けて発信することにより、携行者の存在を通知するＩＣタグであって、ケース５の重心を下部に設定すると共に、そのケース５に内蔵した発信用のアンテナ４をケース５の底壁の内側に設け、さらにケース５の下面が下方を向くように携行するストラップ８を設けたものである。
【０００６】
本考案による点呼用ＩＣタグでは、ストラップ８でＩＣタグを吊り下げて携行する限り、発信用のアンテナ４から常に下方に向けて信号電波が発信される。このため、正常な使用状態において、戸外では地面からの反射波が、また室内にあっては天井や床からの反射波が利用できるようになる。これにより、信号の送受信が縦方向に伝播する電波によりなされるので、複数のＩＣタグが面方向に重なり合う状況でも、電波の吸収等の障害が起こらず、確実な点呼が可能となる。
【考案の効果】
【０００７】
以上説明した通り、本考案による点呼用ＩＣタグを用いることで、電波はまず地面（または床）や天井の方向に進み、足下を抜けて地面（または床）からの反射や天井による反射によって重なった点呼対象に妨げられることなく、受信機に到達する。よって、容易に受信機で受信、確認をすることが出来る。
【考案を実施するための最良の形態】
【０００８】
本考案では、被引率者１２が個別識別信号を含む信号電波を発信する方向を常に上下方向とすることで、地面、床、天井からの反射波によりＩＣタグから発信した個別識別信号を含む信号電波を受信機１１で受信するようにし、その目的を達成するところである。
以下、本考案を実施するための最良の形態について、実施例をあげて詳細に説明する。
【０００９】
本考案による点呼用ＩＣタグは、複数の被引率者１２がそれぞれ携行するＩＣタグから発信される個々に異なる個別認識情報を含む信号電波を、引率者が所持する受信表示器１１で受信し、前記ＩＣタグから発信される信号電波に含まれる個別認識情報と受信機１１の記憶部で記憶した個別認識情報とを照合することにより、被引率者１２の点呼を行うものである。これにより、もし照合できない個別認識情報がある場合、その個別認識情報を含む信号電波を発すべきＩＣタグを所持しているべき被引率者１２が未点呼の被引率者１２であるとして容易に確認することが出来る。この個別認識情報を含む信号電波を点呼用信号として利用するものである。
【００１０】
図１は、本考案による点呼用ＩＣタグのケースの中に内蔵される基板構成を示す図である。
主基板２と小基板３とにＩＣタグが構成されている。小基板３は主基板２と直交するように設けられており、この小基板３には発信用のアンテナ４が設けられている。また、主基板２にはＩＣチップ１が搭載されている。前記ＩＣタグに記録された個別のパターンの信号、すなわち個別識別情報を含む信号電波が前記発信用のアンテナ４から放射される。
【００１１】
図２の前記のＩＣタグを構成する基板をケース５に組み込む状態を示す分解図である。
ケース５は、前面ケース６と背面カバー７とからなり、前面ケース６は底面側が広くなるような形状を有する。このため、ケース５全体としては、その重心が底面に近い側にある。前記ＩＣタグを構成した基板は、前面ケース６の背面側からその中に組み込まれる。この際に、その発信用アンテナ４がある小基板３が前面ケース６の底壁の内側に挿入され、固定される。ＩＣタグを構成した基板を前面ケース６の中に組み込んだ後、背面カバー７で前面ケース６の背面を閉じる。背面カバー７の上端部には、ストラップ８が接続されており、点呼用ＩＣタグはこのストラップ８を人の首に掛けることにより、人の上半身の前面に吊り下げた状態で携行される。
【００１２】
図３は、被引率者１２が屋外において前記ストラップ８を首に掛けることにより、点呼用ＩＣタグを上半身の前面に吊り下げた状態で携行した場合における受信機１１への電波の送受信状態を示す概念図である。
点呼用ＩＣタグの重心は、その底面に近い側にあるため、被引率者１２がストラップ８を首に掛けて点呼用ＩＣタグを上半身の前面に吊り下げた状態では、点呼用ＩＣタグの底面はほぼ下方を向いている。そのため、発信される個別識別情報を含む信号電波、すなわち点呼用信号の電波のうち、下方に発射された電波が地面で反射して引率者が携行する受信機１１で受信される。
【００１３】
他方、屋内では点呼用ＩＣタグから上方へ向けて発信された点呼用信号の電波のうち、天井に向けて発射された電波が天井で反射して引率者が携行する受信機１１で受信される。もちろん、点呼用ＩＣタグから発射された電波のうち、下方へ向けて発信された点呼用信号の電波が床でも反射して引率者が携行する受信機１１で受信される。
【００１４】
このように、電波はまず地面（または床）や天井の方向に進み、足下を抜けて地面（または床）からの反射や天井による反射によって重なった点呼対象に妨げられることなく、受信機に到達する。
【図面の簡単な説明】
【００１５】
【図１】本考案の一実施例による点呼用ＩＣタグのケースの中に内蔵される基板構成を示す斜視図である。
【図２】本考案の一実施例による点呼用ＩＣタグのＩＣタグを構成した基板をケースに組み込む状態を示す分解斜視図である。
【図３】被引率者が屋外において前記ストラップを首に掛けることにより、本考案の一実施例による点呼用ＩＣタグを上半身の前面に吊り下げた状態で携行した場合における受信機への電波の送受信状態を示す概念図である。
【符号の説明】
【００１６】
４  発信用のアンテナ
５  ケース
８  ストラップ
【図１】
0003125097.tif 000003
【図２】
0003125097.tif 000004
【図３】
0003125097.tif 000005